(57)【要約】 【課題】  画像処理方法および画像表示システムを提供する。【解決手段】  複数のデータ駆動信号を出力し、表示画像信号を画素アレイの複数の画素に提供するデータ駆動回路、複数のゲート駆動信号を出力し、前記画素アレイの前記画素を駆動するゲート駆動回路、および複数のサブフレームデータを含む入力画像信号を受信し、前記複数のサブフレームデータを再結合し、前記入力画像信号の１つ以上のサブフレームデータが結合されて単一のフレームデータとなり、前記表示画像信号を生成し、前記表示画像信号を前記データ駆動回路に出力する制御チップを含む画像表示システム。【選択図】  図１
2013250554.tif 000002
【特許請求の範囲】
【請求項１】
複数のデータ駆動信号を出力し、表示画像信号を画素アレイの複数の画素に提供するデータ駆動回路、
複数のゲート駆動信号を出力し、前記画素アレイの前記画素を駆動するゲート駆動回路、および
複数のサブフレームデータを含む入力画像信号を受信し、前記複数のサブフレームデータを再結合し、前記入力画像信号の１つ以上のサブフレームデータが結合されて単一のフレームデータとなり、前記表示画像信号を生成し、前記表示画像信号を前記データ駆動回路に出力する制御チップを含む画像表示システム。
【請求項２】
前記入力画像信号のフレームレートは、前記表示画像信号のフレームレートより高い請求項１に記載の画像表示システム。
【請求項３】
前記入力画像信号の前記複数のサブフレームデータは、フルＨＤ（ＦＨＤ）の画像データである請求項１に記載の画像表示システム。
【請求項４】
前記表示画像信号の前記フレームデータは、クアッドフルＨＤ（ＱＦＨＤ）の画像データである請求項１に記載の画像表示システム。
【請求項５】
前記制御チップは、垂直方向または水平方向の少なくとも１つに沿って、少なくとも２つのサブフレームデータを単一のフレームデータに結合する請求項１に記載の画像表示システム。
【請求項６】
前記制御チップは、垂直方向または水平方向の少なくとも１つに沿って、２つのサブフレームデータを単一のフレームデータに結合する請求項１に記載の画像表示システム。
【請求項７】
前記制御チップは、垂直方向または水平方向の少なくとも１つに沿って、４つのサブフレームデータを単一のフレームデータに結合する請求項１に記載の画像表示システム。
【請求項８】
前記制御チップは、垂直方向または水平方向の少なくとも１つに沿って、フレームデータの圧縮を更に解除する請求項１に記載の画像表示システム。
【請求項９】
信号処理装置によって、元の画像信号を受信するステップ、
前記信号処理装置によって、前記元の画像信号を処理し、前記元の画像信号の１つのフレームデータが複数のサブフレームデータに分割され、前記複数のサブフレームデータを含む出力画像信号を生成するステップ、
信号処理装置によって、前記出力画像信号を受信し、前記出力画像信号を処理して、前記出力画像信号の１つ以上の前記複数のサブフレームデータが結合されて単一のフレームデータとなり、よって表示画像信号を生成するステップ、および
前記画像表示システムによって、前記表示画像信号を表示するステップを含む画像処理方法。
【請求項１０】
前記元の画像信号の１つのフレームデータを複数のサブフレームデータに分割した時、前記複数のサブフレームデータのデータは、部分的に重なる請求項９に記載の画像処理方法。
【請求項１１】
前記元の画像信号は第１のフレームレートを有し、前記出力画像信号は第２のフレームレートを有し、前記第２のフレームレートは、前記第１のフレームレートより高い請求項９に記載の画像処理方法。
【請求項１２】
前記表示画像信号は第３のフレームレートを有し、前記第３のフレームレートは前記第２のフレームレートより低く、前記第１のフレームレートと同じである請求項１１に記載の画像処理方法。
【請求項１３】
前記元の画像信号の前記フレームデータは、クアッドフルＨＤ（ＱＦＨＤ）の画像データである請求項９に記載の画像処理方法。
【請求項１４】
前記出力画像信号の前記複数のサブフレームデータは、フルＨＤ（ＦＨＤ）の画像データである請求項９に記載の画像処理方法。
【請求項１５】
前記表示画像信号の前記フレームデータは、クアッドフルＨＤ（ＱＦＨＤ）の画像データである請求項９に記載の画像処理方法。
【請求項１６】
前記信号処理装置によって垂直方向または水平方向の少なくとも１つに沿って、フレームデータを圧縮するステップを更に含む請求項９に記載の画像処理方法。
【請求項１７】
前記画像表示システムによって垂直方向または水平方向の少なくとも１つに沿って、フレームデータの圧縮を解除するステップを更に含む請求項９に記載の画像処理方法。
【請求項１８】
前記元の画像信号の１つのフレームデータが複数のサブフレームデータに分割されるように前記元の画像信号を処理するステップは、
垂直方向または水平方向の少なくとも１つに沿って、１つのフレームデータを２つのサブフレームデータに分割するステップを更に含む請求項９に記載の画像処理方法。
【請求項１９】
前記元の画像信号の１つのフレームデータが複数のサブフレームデータに分割されるように前記元の画像信号を処理するステップは、
垂直方向または水平方向の少なくとも１つに沿って、１つのフレームデータを少なくとも２つのサブフレームデータに分割するステップを更に含む請求項９に記載の画像処理方法。
【請求項２０】
前記元の画像信号の１つのフレームデータが複数のサブフレームデータに分割されるように前記元の画像信号を処理するステップは、
水平方向に沿って、１つのフレームデータを４つのサブフレームデータに分割するステップを更に含む請求項９に記載の画像処理方法。
【発明の詳細な説明】
【技術分野】
【０００１】
本発明は、画像処理方法および画像表示システムに関し、特に、ＱＦＨＤの画像／ビデオデータディスプレイを支援できる画像処理方法および画像表示システムに関するものである。
【背景技術】
【０００２】
従来の画像／ビデオ解像度のフルＨＤ（ＦＨＤ）から超高解像度の４倍のクアッドフルＨＤ（ＱＦＨＤ）の画像／ビデオ解像度が開発されている。ＦＨＤの解像度は、１９２０*１０８０であり、ＱＦＨＤの解像度は、３８４０*２１６０である（即ち、ＱＦＨＤは４Ｋ２Ｋとも呼ばれる）。
【０００３】
画像／ビデオ解像度は、大幅に増加されたが、現存する画像処理装置の画像処理能力は、それに追いついていない。例えば、家庭に一般的に配置される表示システムのＣＤ／ＤＶＤプレーヤーで言えば、よくてもＦＨＤの画像／ビデオディスプレイを支援し、ＱＦＨＤの画像／ビデオディスプレイを支援できない。しかしながら、例えば、ＴＶ、液晶ディスプレイ（ＬＣＤ）のディスプレイなどのディスプレイ装置は、現在ＱＦＨＤの画像／ビデオデータディスプレイを支援することができる。
【０００４】
現存の画像処理装置によってＱＦＨＤの画像／ビデオデータをディスプレイするために、ＣＤ／ＤＶＤプレーヤーなどの現存するハードウェアデバイスを必要とすることなく、ＱＦＨＤの画像／ビデオデータディスプレイを支援できる新しい画像処理方法および画像表示システムが非常に必要となる。
【発明の概要】
【発明が解決しようとする課題】
【０００５】
画像処理方法および画像表示システムを提供する。
【課題を解決するための手段】
【０００６】
画像表示システムおよび画像処理方法が提供される。画像表示システムの例示的な実施形態は、データ駆動回路、ゲート駆動回路、および制御チップを含む。データ駆動回路は、複数のデータ駆動信号を出力し、表示画像信号を画素アレイの複数の画素に提供する。ゲート駆動回路は、複数のゲート駆動信号を出力し、画素アレイの画素を駆動する。制御チップは、複数のサブフレームデータを含む入力画像信号を受信し、サブフレームデータを再結合し、入力画像信号の１つ以上のサブフレームデータが結合されて単一のフレームデータとなり、表示画像信号を生成し、表示画像信号を出力する。
【０００７】
画像処理方法の例示的な実施形態は、信号処理装置によって、元の画像信号を受信するステップ、信号処理装置によって、元の画像信号を処理し、元の画像信号の１つのフレームデータが複数のサブフレームデータに分割され、サブフレームデータを含む出力画像信号を生成するステップ、信号処理装置によって、出力画像信号を受信し、出力画像信号を処理して、出力画像信号の複数のサブフレームデータが結合されて単一のフレームデータとなり、よって表示画像信号を生成するステップ、および画像表示システムによって、表示画像信号を表示するステップを含む。
【０００８】
詳細な説明は、添付の図面と併せて以下の実施形態に説明される。
【図面の簡単な説明】
【０００９】
本発明は、添付の図面と併せて後に続く詳細な説明と実施例を解釈することによって、より完全に理解されることができる。
【図１】本発明の実施形態に基づいた発明の画像表示システムの各種のタイプの１つを表している。
【図２】本発明の実施形態に基づいた画像処理システムのブロック図を表している。
【図３】本発明の実施形態に基づいた画像処理方法のフローチャートである。
【図４ａ】本発明の第１の実施形態に基づいた元の画像信号を処理するコンセプトを表す図である。
【図４ｂ】本発明の第２の実施形態に基づいた元の画像信号を処理するコンセプトを表す図である。
【図４ｃ】本発明の第３の実施形態に基づいた元の画像信号を処理するコンセプトを表す図である。
【図４ｄ】本発明の第４の実施形態に基づいた元の画像信号を処理するコンセプトを表す図である。
【図５】本発明の実施形態に基づいた制御チップのブロック図を表している。
【図６】本発明の実施形態に基づいた画像処理装置のブロック図を表している。
【発明を実施するための形態】
【００１０】
以下の説明は、本発明を実施するベストモードが開示されている。この説明は、本発明の一般原理を例示する目的のためのもので本発明を限定するものではない。本発明の範囲は、添付の請求の範囲を参考にして決定される。
【００１１】
図１は、本発明の実施形態に基づいた発明の画像表示システムの各種のタイプの１つを表している。図１に示されるように、画像表示システムは、表示パネル１０１を含み、表示パネル１０１は、ゲート駆動回路１１０、データ駆動回路１２０、画素アレイ１３０、および制御チップ１４０を含むことができる。ゲート駆動回路１１０は、複数のゲート駆動信号を出力し、画素アレイ１３０の複数の画素を駆動する。データ駆動回路１２０は、複数のデータ駆動信号を出力し、表示画像信号（次の段落に更に表される）のデータを画素アレイ１３０の画素に提供する。制御チップ１４０は、ホストまたは信号処理装置から画像信号を受信し、画像信号を処理して、表示画像信号を生成し、且つ表示画像信号に基づいて、ゲート駆動信号、データ駆動信号、および複数のタイミング信号を生成し、表示パネル１０１の操作を制御する。
【００１２】
また、本発明の画像表示システムは、電子装置１００に更に含まれることができる。電子装置１００は、上述の表示パネル１０１および入力装置１０２を含むことができる。入力装置１０２は、画像信号を受信し、表示パネル１０１を制御して画像を表示する。本発明の実施形態に基づいて、電子装置１００は、携帯電話、デジタルカメラ、携帯端末（ＰＤＡ）、ラップトップコンピュータ、パソコン、テレビ、自動車用ディスプレイ、ポータブルＤＶＤプレーヤー、または画像表示の機能を有する装置を含む各種のデバイスとして実現される
【００１３】
図２は、本発明の実施形態に基づいた画像処理システムのブロック図を表している。画像処理システム２００は、記憶媒体２１０、信号処理装置２２０、および画像表示システム２３０を含むことができる。信号処理装置２２０は、元の画像信号ＳＯｒｉｇ＿Ｉｍを記憶媒体２１０から読み込むかまたは受信することができる。本発明の好ましい実施形態では、元の画像信号ＳＯｒｉｇ＿Ｉｍは、クアッドフルＨＤ（ＱＦＨＤ）の画像信号であることができる。信号処理装置２２０は、元の画像信号ＳＯｒｉｇ＿Ｉｍを処理し、出力画像信号ＳＰｒｏｃ＿Ｉｍを生成することができる。本発明の好ましい実施形態では、出力画像信号ＳＰｒｏｃ＿Ｉｍは、フルＨＤ（ＦＨＤ）の画像信号であることができる。画像表示システム２３０は、信号処理装置２２０から出力画像信号ＳＰｒｏｃ＿Ｉｍ（画像表示システム２３０の態様から入力画像信号として見なされることもできる）を受信することができ、出力画像信号ＳＰｒｏｃ＿Ｉｍを更に処理して、表示画像信号ＳＤｉｓｐ＿Ｉｍを生成し、表示画像信号ＳＤｉｓｐ＿Ｉｍを更に表示する。本発明の好ましい実施形態では、表示画像信号ＳＤｉｓｐ＿Ｉｍは、クアッドフルＨＤ（ＱＦＨＤ）の画像信号であることができる。表示画像信号ＳＤｉｓｐ＿Ｉｍは、ＦＨＤ（８Ｋ  ＦＨＤ）の画像信号の水平および垂直の解像度の４倍を有することができる。また、水平の解像度は、水平方向を意味し、垂直の解像度は、垂直方向を意味する。
【００１４】
本発明の実施形態に基づいて、記憶媒体２１０は、例えばハードディスクデバイス、ＣＤ／ＤＶＤ／ＢＲ  ＤＶＤデバイス、または任意の電子装置に内蔵された内部記憶媒体などのどのタイプの記憶媒体でもよい。信号処理装置２２０は、例えば、特定の信号処理集積回路、または電子装置に内蔵されたソフトウェアモジュールまたはハードウェアデバイスなどの特定の信号処理ハードウェアデバイスであることができる。電子装置は、コンピュータ、ディスクプレーヤー（例えばＣＤ／ＤＶＤ／ＢＲ  ＤＶＤプレーヤー）、ホストなどであることができる。
【００１５】
図３は、本発明の実施形態に基づいた画像処理方法のフローチャートである。まず、信号処理装置は、元の画像信号（ステップＳ３０２）を受信する。本発明の実施形態に基づいて、元の画像信号は、複数のフレームデータを含むことができる。次いで、信号処理装置は、元の画像信号を処理することができ、元の画像信号の１つのフレームデータが複数のサブフレームデータに分割され、複数のサブフレームデータを含む出力画像信号を生成する（ステップＳ３０４）。次いで、画像表示システムは、出力画像信号を受信し、出力画像信号を処理して、出力画像信号の１つ以上の複数のサブフレームデータが結合されて単一のフレームデータとなり、よってフレームデータを含む表示画像信号を生成する（ステップＳ３０６）。最後に、画像表示システムは、表示画像信号を表示する（ステップＳ３０８）処理された画像処理方法は、次の段落に更に述べられる。
【００１６】
本発明の実施形態に基づいて、ステップＳ３０４では、単一の処理装置２２０は、元の画像信号のフレームデータをまず圧縮し、次いで、１つのフレームデータを複数のサブフレームデータに分割するか、または圧縮することなく、１つのフレームデータを複数のサブフレームデータに直接分割する。図４ａは、本発明の第１の実施形態に基づいた元の画像信号を処理するコンセプトを表す図である。第１の実施形態では、信号処理装置２２０は、垂直方向に沿って元の画像信号の１つのフレームデータをまず圧縮し、次いで、圧縮されたフレームデータを水平方向に沿って左部分および右部分に分割し、２つのサブフレームデータを生成する。例えば、元の画像信号ＳＯｒｉｇ＿Ｉｍのフレームデータが３８４０*２１６０（４Ｋ２Ｋに示されるように）の解像度を有するクアッドフルＨＤ（ＱＦＨＤ）の画像データを有するため、垂直方向に沿って圧縮された後、データ量は、半減され、３８４０*１０８０の解像度を有する画像データを生成する。次いで、信号処理装置２２０は、圧縮されたフレームデータを左部分および右部分に分割し、１９２０*１０８０（２Ｋ１Ｋに示されるように）の解像度を有する２つのサブフレームデータを生成する。言い換えれば、出力画像信号ＳＰｒｏｃ＿Ｉｍは、ＦＨＤの画像データに変換される。
【００１７】
図４ｂは、本発明の第２の実施形態に基づいた元の画像信号を処理するコンセプトを表す図である。第２の実施形態では、信号処理装置２２０は、水平方向に沿って元の画像信号のフレームデータをまず圧縮し、次いで、圧縮されたフレームデータを垂直方向に沿って上部分および下部分に分割し、２つのサブフレームデータを生成する。例えば、元の画像信号ＳＯｒｉｇ＿Ｉｍのフレームデータが３８４０*２１６０（４Ｋ２Ｋに示されるように）の解像度を有するＱＦＨＤの画像データを有するため、水平方向に沿って圧縮された後、データ量は、半減され、１９２０*２１６０の解像度を有する画像データを生成する。元の画像信号ＳＯｒｉｇ＿Ｉｍのフレームデータも７６８０*４３２０（８Ｋ４Ｋに示されるように）の解像度を有する８Ｋ  ＦＨＤの画像データであることができる。次いで、信号処理装置２２０は、圧縮されたフレームデータを上部分および下部分に分割し、１９２０*１０８０（２Ｋ１Ｋに示されるように）の解像度を有する２つのサブフレームデータを生成する。言い換えれば、出力画像信号ＳＰｒｏｃ＿Ｉｍは、ＦＨＤの画像データに変換される。
【００１８】
本発明の実施形態に基づいて、信号処理装置２２０は、線形アルゴリズム、バイリニア補間アルゴリズム、バイキュービック補間アルゴリズム、Ｂ−スプラインアルゴリズム、または画像解像度を調整できる他のアルゴリズムを含む多種の異なるアルゴリズムに基づいた画像データを圧縮し、画像解像度を調整することができる。
【００１９】
また、上述のように、信号処理装置２２０は、圧縮することなく、１つのフレームデータを複数のサブフレームデータに直接分割することもできる。図４ｃは、本発明の第３の実施形態に基づいた元の画像信号を処理するコンセプトを表す図である。本発明の第３の実施形態では、信号処理装置２２０は、垂直および水平方向に沿って、１つのフレームデータを４つのサブフレームデータに分割し、約１９２０*１０８０（２Ｋ１Ｋに示されるように）の解像度を有する４つのサブフレームデータを生成する。言い換えれば、出力画像信号ＳＰｒｏｃ＿Ｉｍは、ＦＨＤの画像データに変換される。図４ｄは、本発明の第４の実施形態に基づいた元の画像信号を処理するコンセプトを表す図である。本発明の第４の実施形態では、信号処理装置２２０は、水平方向に沿って、１つのフレームデータを４つのサブフレームデータに分割し、約１０８０*１９２０（１Ｋ２Ｋに示されるように）の解像度を有する４つのサブフレームデータを生成する。言い換えれば、出力画像信号ＳＰｒｏｃ＿Ｉｍは、ＦＨＤの画像データに変換される。
【００２０】
本発明の実施形態では、各画像信号のフレームレートは、上述の画像処理手順に応じて変えられてもよい。例えば、図４ａおよび図４ｂでは、元の画像信号ＳＯｒｉｇ＿Ｉｍは、６０Ｈｚのフレームレートを有するＱＦＨＤのイメージデータであることができ、処理後、出力画像信号ＳＰｒｏｃ＿Ｉｍは、１２０Ｈｚのフレームレートを有するＦＨＤの画像データであることができる。本発明の第１および第２の実施形態では、元の画像信号ＳＯｒｉｇ＿Ｉｍの１つのフレームデータは、２つのサブフレームデータに分割され、１２０Ｈｚのフレームレートを有する出力画像信号ＳＰｒｏｃ＿Ｉｍのフレームデータ転送速度は、６０Ｈｚのフレームレートを有する元の画像信号ＳＯｒｉｇ＿Ｉｍのフレームデータ転送速度と実質的に同じである。
【００２１】
もう１つの例では、図４ｃおよび図４ｄでは、元の画像信号ＳＯｒｉｇ＿Ｉｍは、３０Ｈｚのフレームレートを有するＱＦＨＤのイメージデータであることができ、処理後、出力画像信号ＳＰｒｏｃ＿Ｉｍは、１２０Ｈｚのフレームレートを有するＦＨＤの画像データであることができる。本発明の第３および第４の実施形態では、元の画像信号ＳＯｒｉｇ＿Ｉｍの１つのフレームデータは、４つのサブフレームデータに分割され、１２０Ｈｚのフレームレートを有する出力画像信号ＳＰｒｏｃ＿Ｉｍのフレームデータ転送速度は、３０Ｈｚのフレームレートを有する元の画像信号ＳＯｒｉｇ＿Ｉｍのフレームデータの転送速度と実質的に同じである。
【００２２】
言い換えれば、元の画像信号の１つのフレームデータは、複数のサブフレームデータに分割され、出力画像信号のフレームレートは上げられ、フレームデータの転送速度を同じに保つ。注意するのは、上述の画像処理方法は、画像信号処理において限定されるものではない。本発明のいくつかの他の実施形態では、元の画像信号ＳＯｒｉｇ＿Ｉｍは、静態の画像データでもよい。
【００２３】
信号処理装置２２０によって処理された後、出力画像信号ＳＰｒｏｃ＿Ｉｍは、画像表示システム２３０によって受信され、画像表示システム２３０によって更に処理されて、上述の表示画像信号ＳＤｉｓｐ＿Ｉｍを生成する。図５は、本発明の実施形態に基づいた制御チップのブロック図を表している。本発明の実施形態に基づいて、画像表示システム２３０に含まれる制御チップ１４０は、受信された出力画像信号ＳＰｒｏｃ＿Ｉｍを処理する画像処理装置５１０および表示画像信号ＳＤｉｓｐ＿Ｉｍに基づいたゲート駆動信号、データ駆動信号、およびタイミング信号を生成するタイミング制御装置５２０を含むことができる。本発明の実施形態に基づいて、画像処理装置５１０およびタイミング制御装置５２０は、ソフトウェアモジュールまたはハードウェアデバイス、またはその任意の組み合わせであることができ、本発明はこれを限定するものではない。また、本発明のいくつかの他の実施形態では、制御チップは、例えばルックアップテーブル（ＬＵＴ）装置などの他のハードウェアデバイスまたはソフトウェアモジュールを更に含むことができる。よって、本発明は、図５に表された内容を限定するものではない。
【００２４】
図６は、本発明の実施形態に基づいた画像処理装置のブロック図を表している。本発明の実施形態に基づいて、画像処理装置５１０は、フレームバッファ６１０、結合装置（ｍｅｒｇｉｎｇ  ｄｅｖｉｃｅ）６２０、およびスカラー６３０を少なくとも含むことができる。フレームバッファ６１０は、出力画像信号ＳＰｒｏｃ＿Ｉｍをバッファすることができる。結合装置６２０は、出力画像信号ＳＰｒｏｃ＿Ｉｍの１つ以上の複数のサブフレームデータが結合されて単一のフレームデータとなる。スカラー６３０は、結合されたフレームデータの圧縮を更に解除し（信号処理装置２２０が圧縮手順を実行した時）、元の画像信号のフレームデータを復元する。
【００２５】
本発明の実施形態に基づいて、ステップＳ３０６では、結合装置６２０は、信号処理装置２２０で用いられた方法に関連した方式で、元の画像信号の１つのフレームデータを複数のサブフレームデータに分割し、出力画像信号ＳＰｒｏｃ＿Ｉｍの１つ以上の複数のサブフレームデータを結合して、単一のフレームデータとなることができる。例えば、信号処理装置２２０が図４ａまたは図４ｂに表されたように、垂直または水平方向に沿って、１つのフレームデータを２つのサブフレームデータに分割した時、結合装置６２０は、垂直または水平方向に沿って、２つのサブフレームデータを結合して単一のフレームデータとなることができる。もう１つの例では、信号処理装置２２０が図４ｃに表されたように、垂直または水平方向に沿って、１つのフレームデータを４つのサブフレームデータに分割した時、結合装置６２０は、垂直または水平方向に沿って、４つのサブフレームデータを結合して単一のフレームデータとなることができる。また、もう１つの例では、信号処理装置２２０が図４ｄに表されたように、水平方向に沿って、１つのフレームデータを４つのサブフレームデータに分割した時、結合装置６２０は、水平方向に沿って、４つのサブフレームデータを結合して単一のフレームデータとなることができる。
【００２６】
本発明の実施形態に基づいて、スカラー６３０は、信号処理装置２２０で用いられた方法に関連した方式で、結合されたフレームデータの圧縮を更に解除し、元の画像信号のフレームデータを圧縮し、元の画像信号のフレームデータを復元する。例えば、信号処理装置２２０は、垂直方向に沿った元の画像信号のフレームデータを圧縮し、スカラー６３０は、垂直方向に沿ったフレームデータの圧縮を解除することができる。信号処理装置２２０は、水平方向に沿った元の画像信号のフレームデータを圧縮し、スカラー６３０は、水平方向に沿ったフレームデータの圧縮を解除することができる。また、本発明の実施形態に基づいて、スカラー６３０は、線形アルゴリズム、バイリニア補間アルゴリズム、バイキュービック補間アルゴリズム、Ｂ−スプラインアルゴリズム、または画像解像度を調整できる他のアルゴリズムを含む多種の異なるアルゴリズムに基づいた画像データの圧縮を解除することができる。
【００２７】
本発明の実施形態に基づいて、画像処理装置５１０によって、出力画像信号の１つ以上の複数のサブフレームデータが結合されて単一のフレームデータとなるため、画像処理装置５１０によって出力された表示画像信号のフレームレートは、それに応じて調整され、フレームデータ転送速度を同じに保つ。例えば、出力画像信号ＳＰｒｏｃ＿Ｉｍが１２０Ｈｚのフレームレートを有するＦＨＤの画像データである時、画像処理装置５１０によって処理された後、表示画像信号ＳＤｉｓｐ＿Ｉｍは、６０Ｈｚのフレームレートを有するＱＦＨＤのイメージデータとなることができ、これは元の画像信号ＳＯｒｉｇ＿Ｉｍと同じである。
【００２８】
注意するのは、フレームデータを分割することによって生じ、画像表示システム２３０によってフレームデータを復元する時に起こる歪みを回避するために、信号処理装置２２０は、分割されたサブフレームデータ用にいくつかの余分な境界画素データを保留することができる。例えば、分割されたサブフレームデータの解像度は、例えば１９４０*１０８４など、１９２０*１０８０より実質的に大きくてもよい。よって、元の画像信号の１つのフレームデータを複数のサブフレームデータに分割した時、複数のサブフレームデータの画像データは、部分的に重なることができる。信号処理装置２２０は、１９４０*１０８４の解像度を有する画像データを画像表示システム２３０に伝送することができる。画像表示システム２３０は、適当なアルゴリズムに基づいて画像データを更に再結合し、サブフレームデータの接点（ｊｕｎｃｔｉｏｎ）をスムーズ且つ完全にする。
【００２９】
上述の画像処理方法によって、３０Ｈｚまたは６０Ｈｚのフレームレートを有するＱＦＨＤの元の画像信号は、まず、信号処理装置２２０によって、１２０Ｈｚのフレームレートを有するＦＨＤの出力画像信号に変換され、１２０Ｈｚのフレームレートを有するＦＨＤの画像信号は、家庭に一般的に配置される表示システムのＣＤ／ＤＶＤプレーヤーまたはコンピュータデバイスによって支援される細孔の規格である。次いで、ＣＤ／ＤＶＤプレーヤーまたはコンピュータデバイスによって出力された出力画像信号は、画像表示システム２３０によって３０Ｈｚまたは６０Ｈｚのフレームレートを有するＱＦＨＤの画像信号となるように更に変換される。よって、ＣＤ／ＤＶＤプレーヤーまたはコンピュータデバイスなどのハードウェアデバイスをアップグレードする必要がない。いくつかのソフトウェアモジュールまたはハードウェア論理回路だけが画像表示システム２３０に加えられて上述の画像処理方法を実行する必要がある。よって、超高解像度のＱＦＨＤの画像信号が現存するハードウェアデバイスによって再生されて表示されることができる。ハードウェアデバイスをアップグレードするのに必要なコストは、大きく節約されることができる。
【００３０】
本発明の上述の実施形態は、多くの方式で実行されることができる。例えば、実施形態は、ハードウェア、ソフトウェア、またはその組み合わせを用いて実行されることができる。上述の機能を実行する任意の構成部材または構成部材の集合は、上述の機能を制御する１つ以上の処理器として一般的に見られることができることは理解できるだろう。１つ以上の処理器は、例えば専用のハードウェアを用いた、またはマイクロコードまたはソフトウェアを用いてプログラムされる汎用ハードウェアを用いた多くの方式で実行されて、上述の機能を実行することができる。
【００３１】
この発明は、実施例の方法及び望ましい実施の形態によって記述されているが、これらを限定するものではないことは理解される。当業者は、本発明の精神と範囲から逸脱しない種々の修正及び変更を行い得る。よって、本発明の範囲は、以下の請求項及びその等価のものによって規定されて保護される。
【符号の説明】
【００３２】
１００  電子装置
１０１  表示パネル
１０２  入力装置
１１０  ゲート駆動回路
１２０  データ駆動回路
１３０  画素アレイ
１４０  制御チップ
２００  画像処理システム
２１０  記憶媒体
２２０  信号処理装置
２３０  画像表示システム
５１０  画像処理装置
５２０  タイミング制御装置
６１０  フレームバッファ
６２０  結合装置（ｍｅｒｇｉｎｇ  ｄｅｖｉｃｅ）
６３０  スカラー
ＳＯｒｉｇ＿Ｉｍ、ＳＰｒｏｃ＿Ｉｍ、信号ＳＤｉｓｐ＿Ｉｍ  信号
【図１】
2013250554.tif 000003
【図２】
2013250554.tif 000004
【図３】
2013250554.tif 000005
【図４ａ】
2013250554.tif 000006
【図４ｂ】
2013250554.tif 000007
【図４ｃ】
2013250554.tif 000008
【図４ｄ】
2013250554.tif 000009
【図５】
2013250554.tif 000010
【図６】
2013250554.tif 000011